(57)【要約】      （修正有）【課題】一方向ベゼル幅が減少された表示装置及びマルチパネル表示装置を提供する。【解決手段】表示装置は、薄膜トランジスター基板、ゲートドライバー、及び連結ラインを含む。薄膜トランジスター基板は表示領域と表示領域を囲む非表示領域とを含む。表示領域には第１方向に延長されたゲートライン及びゲートラインと絶縁され、第１方向と交差する第２方向に延長されたデータラインが具備される。ゲートドライバーは表示領域の第２方向の一方の外側に位置した第１非表示領域に配置され、ゲートラインにゲート信号を提供する。連結ラインは第２方向に延長されて、ゲートドライバーとゲートラインとを互に連結する。第ｉ（ｉは正の整数）番目のゲートラインに連結された連結ラインの抵抗値と第ｊ（ｊは正の整数、ｊ≠ｉ）番目のゲートラインに連結された連結ラインの抵抗値は互に同一である。【選択図】図２
2015082110.tif 000002
【特許請求の範囲】
【請求項１】
表示領域と前記表示領域を囲む非表示領域とを含み、前記表示領域には第１方向に延長されたゲートライン及び前記ゲートラインと絶縁され、前記第１方向と交差する第２方向に延長されたデータラインが具備された薄膜トランジスター基板と、
前記非表示領域の中で前記表示領域の前記第２方向の一方の外側に位置した第１非表示領域に配置され、前記ゲートラインにゲート信号を提供するゲートドライバーと、
前記第２方向に延長されて、前記ゲートドライバーと前記ゲートラインを互に連結する連結ラインと、を含み、
第ｉ（ｉは正の整数）番目のゲートラインに連結された連結ラインの抵抗値と第ｊ（ｊは正の整数、ｊ≠ｉ）番目のゲートラインに連結された連結ラインの抵抗値とは、互に同一である表示装置。
【請求項２】
前記連結ラインは、前記第ｉ番目のゲートラインに連結された第１一部連結ライン及び前記第ｊ番目のゲートラインに連結された第２一部連結ラインを含み、前記第１一部連結ラインの全長と前記第２一部連結ラインの全長とは、互に同一であることを特徴とする請求項１に記載の表示装置。
【請求項３】
前記ゲートドライバーは、互に離隔された第１ゲートドライバー及び第２ゲートドライバーを含み、
前記連結ラインは、前記第１ゲートドライバーと前記ゲートラインを連結するメーン連結ライン及び前記第２ゲートドライバーと前記ゲートラインを連結するサブ連結ラインを含むことを特徴とする請求項２に記載の表示装置。
【請求項４】
１つのゲートラインは、１つのメーン連結ラインと１つのサブ連結ラインとに連結されたことを特徴とする請求項３に記載の表示装置。
【請求項５】
前記メーン連結ラインは、互に異なる長さを有し、前記サブ連結ラインは、互に異なる長さを有することを特徴とする請求項３に記載の表示装置。
【請求項６】
前記メーン連結ラインの各々は、前記サブ連結ラインの各々より短い長さを有することを特徴とする請求項３に記載の表示装置。
【請求項７】
前記メーン連結ラインの長さは、前記第１ゲートドライバーと前記ゲートラインとの間の前記第２方向の最短距離であることを特徴とする請求項６に記載の表示装置。
【請求項８】
前記サブ連結ラインは、前記第２ゲートドライバーから前記第２方向に前記表示領域を通過するように延長され、前記第１非表示領域で屈曲されて前記ゲートラインに連結されたことを特徴とする請求項６に記載の表示装置。
【請求項９】
前記連結ラインの長さは、互いに同一であり、
前記連結ラインは、
前記ゲートドライバーから延長されて前記第１非表示領域に配置されたファンアウト部と、
前記ファンアウト部から延長されて前記ゲートラインに連結された延長部と、を含むことを特徴とする請求項２に記載の表示装置。
【請求項１０】
前記ファンアウト部の中で少なくとも１つはジグザグ形態に曲がるか、或いは複数回の屈曲を含み、前記ファンアウト部は、互に異なる長さを有し、前記延長部は互に異なる長さを有することを特徴とする請求項９に記載の表示装置。
【発明の詳細な説明】
【技術分野】
【０００１】
本発明は表示装置及びマルチパネル表示装置に関し、より詳細には一方向ベゼル（ｂｅｚｅｌ）が減少された表示装置及びマルチパネル表示装置に関する。
【背景技術】
【０００２】
表示装置は表示パネルと表示パネルを駆動するための駆動部とを含む。表示パネルは映像を表示する表示領域と表示領域を囲む非表示領域とを含む。表示領域は第１方向に延長されたゲートラインと第１方向に垂直となる第２方向に延長されたデータラインとを含む。
【０００３】
駆動部はタイミングコントローラ、ゲートドライバー、及びデータドライバーを含む。ゲートドライバーは表示領域の第１方向外側に位置した非表示領域に具備され、ゲートラインに連結される。データドライバーはＣＯＦパッケージ又は印刷回路基板に実装され、ＣＯＦパッケージ又は印刷回路基板は表示領域の第２方向外側に位置した非表示領域に連結される。
【先行技術文献】
【特許文献】
【０００４】
【特許文献１】米国特許第８，１４４，１１４号公報
【特許文献２】韓国特許公開第１０−２００８−００７６５１９号公報
【発明の概要】
【発明が解決しようとする課題】
【０００５】
本発明が解決しようとする課題は一方向ベゼル幅が減少された表示装置及びマルチパネル表示装置を提供することである。
【０００６】
また、本発明が解決しようとする他の課題はゲートドライバーがゲートラインの延長方向に垂直となる方向に表示領域外側の非表示領域に配置されてもゲートラインの各々へ印加されるゲート信号のディレイ値を一定に維持する表示装置及びマルチパネル表示装置を提供することである。
【課題を解決するための手段】
【０００７】
本発明の一実施形態による表示装置は薄膜トランジスター基板、ゲートドライバー、及び連結ラインを含む。薄膜トランジスター基板は表示領域と表示領域を囲む非表示領域とを含む。表示領域には第１方向に延長されたゲートライン及びゲートラインと絶縁され、第１方向と交差する第２方向に延長されたデータラインが具備される。
【０００８】
ゲートドライバーは表示領域の第２方向の一方の外側に位置した第１非表示領域に配置され、ゲートラインにゲート信号を提供する。連結ラインは第２方向に延長されて、ゲートドライバーとゲートラインとを互に連結する。
【０００９】
第ｉ（ｉは正の整数）番目のゲートラインに連結された連結ラインの抵抗値と第ｊ（ｊは正の整数、ｊ≠ｉ）番目のゲートラインに連結された連結ラインの抵抗値とは互に同一である。第ｉ番目のゲートラインに連結された連結ラインの全長と第ｊ番目のゲートラインに連結された連結ラインの全長とは互に同一であり得る。
【００１０】
ゲートドライバーは互に離隔された第１ゲートドライバー及び第２ゲートドライバーを含む。連結ラインは第１ゲートドライバーとゲートラインを連結するメーン連結ライン及び第２ゲートドライバーとゲートラインを連結するサブ連結ラインを含む。
【００１１】
１つのゲートラインは１つのメーン連結ラインと１つのサブ連結ラインとに連結される。メーン連結ラインは互に異なる長さを有し、サブ連結ラインは互に異なる長さを有する。メーン連結ラインの各々はサブ連結ラインの各々より短い長さを有する。
【００１２】
連結ラインはデータラインと絶縁されるように離隔される。連結ラインの少なくとも一部はデータラインと同じ層上に配置される。
【００１３】
本発明の一実施形態による連結ラインはファンアウト部及び延長部を含む。ファンアウト部はゲートドライバーから延長されて第１非表示領域に配置される。延長部はファンアウト部から延長されてゲートラインに連結される。ファンアウト部の中で少なくとも１つはジグザグ形態に曲がっている。
【００１４】
ファンアウト部は互に異なる長さを有し、延長部は互に異なる長さを有する。第ｉファンアウト部と第ｊファンアウト部との長さの差は第ｉ延長部と第ｊ延長部との長さの差と互に同一である。
【００１５】
本発明の一実施形態によるマルチパネル表示装置は第１方向に安定に配置された複数の表示パネル、印刷回路基板、及び軟性印刷回路基板を含む。印刷回路基板は表示パネルを駆動する。軟性印刷回路基板は表示パネル及び印刷回路基板を互に電気的に連結させる。
【発明の効果】
【００１６】
本発明の表示装置及びマルチパネル表示装置によれば、一方向ベゼル幅を減少させ得る。また、ゲートドライバーがゲートラインの延長方向に垂直となる方向に表示領域外側の非表示領域に配置されてもゲートラインの各々へ印加されるゲート信号のディレイ値を一定に維持することができる。
【図面の簡単な説明】
【００１７】
【図１】本発明の一実施形態による表示装置の断面図である。
【図２】図１の表示装置の平面図である。
【図３】図２の表示パネルを示した平面図である。
【図４】図２で１つの画素とその隣接部とを示した図面である。
【図５】図４のＩ−Ｉ’線に沿う断面図である。
【図６】本発明の一実施形態による表示装置の平面図である。
【図７】図６に図示された連結ラインを示した図面である。
【図８】本発明の一実施形態によるマルチパネル表示装置を示した図面である。
【発明を実施するための形態】
【００１８】
以上の本発明の目的、他の目的、特徴及び長所は添付された図面に関連された以下の望ましい実施形態を通じて容易に理解できる。しかし、本発明はここで説明される実施形態に限定されなく、他の形態に具体化されることもあり得る。むしろ、紹介される実施形態は、開示された内容の一貫性を保ち、完全になるように、そして当業者に本発明の思想が十分に伝達され得るようにするために提供される。
【００１９】
図１は本発明の一実施形態による表示装置１０００の断面図であり、図２は図１の表示装置１０００の平面図であり、図３は図２の表示パネル１０００を示した平面図である。
【００２０】
図１乃至図３を参照すれば、表示装置１０００は表示パネル１００、軟性印刷回路基板２００、及び印刷回路基板３００を包含することができる。
【００２１】
表示パネル１００は映像を表示する。表示パネル１００は、有機発光表示パネル（ｏｒａｇａｎｉｃ  ｌｉｇｈｔ  ｅｍｉｔｔｉｎｇ  ｄｉｓｐｌａｙ  ｐａｎｅｌ）、液晶表示パネル（ｌｉｑｕｉｄ  ｃｒｙｓｔａｌ  ｄｉｓｐｌａｙ  ｐａｎｅｌ）、プラズマ表示パネル（ｐｌａｓｍａ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、及びエレクトロ・ウェッティング表示パネル（ｅｌｅｃｔｒｏｗｅｔｔｉｎｇ  ｄｉｓｐｌａｙ  ｐａｎｅｌ）等の多様な表示パネルを包含することができるが、以下では、表示パネル１００は液晶表示パネルである例を説明する。
【００２２】
表示パネル１００は、薄膜トランジスター基板１０、対向基板２０、及びその間に配置された液晶層ＬＣを含む。
【００２３】
薄膜トランジスター基板１０は表示領域ＤＡと表示領域ＤＡを囲む非表示領域ＮＡとを含む。表示領域ＤＡは映像が視認される領域であり、非表示領域ＮＡはブラックマトリックス等で遮蔽されて映像が視認されない領域である。
【００２４】
表示領域ＤＡは複数のゲートラインＧ１〜Ｇｍ、複数のデータラインＤ１〜Ｄｎ、及びゲートラインＧ１〜Ｇｍ及びデータラインＤ１〜Ｄｎによってマトリックス形態に配置された複数の画素ＰＸを含む。ゲートラインＧ１〜Ｇｍは第１方向ＤＲ１に延長され、第１方向ＤＲ１に垂直となる第２方向ＤＲ２に互に離隔される。データラインＤ１〜ＤｎはゲートラインＧ１〜Ｇｍと絶縁される。データラインＤ１〜Ｄｎは第２方向ＤＲ２に延長され、第１方向ＤＲ１に互に離隔される。
【００２５】
非表示領域ＮＡは第１非表示領域ＮＡ１及び第２非表示領域ＮＡ２を包含することができる。第１非表示領域ＮＡ１は表示領域ＤＡの第２方向ＤＲ２外側領域である。図２及び図３を基準に、第１非表示領域ＮＡ１は表示領域ＤＡの上部及び下部領域である。第２非表示領域ＮＡ２は表示領域ＤＡの第１方向ＤＲ１外側領域である。図２及び図３を基準に、第２非表示領域ＮＡ２は表示領域ＤＡの左側及び右側領域である。
【００２６】
対向基板２０は薄膜トランジスター基板１０と対向するように配置される。対向基板２０は映像に色を提供するカラーフィルターと非表示領域ＮＡに重畳するブラックマトリックスとを包含することができる。
【００２７】
液晶層ＬＣは誘電率異方性を有する複数の液晶分子を含む。液晶層ＬＣの液晶分子は液晶層ＬＣに形成された電界によって特定方向に回転し、液晶層ＬＣへ入射される光の透過度を調節する。
【００２８】
軟性印刷回路基板２００は表示パネル１００及び印刷回路基板３００を電気的に連結させる。軟性印刷回路基板２００はベースフィルム２２０とベースフィルム２２０上に形成された集積回路チップ２１０とを含む。
【００２９】
図１及び図２で、軟性印刷回路基板２００は２つから成り、互に第１方向ＤＲ１に離隔されたことを一例として図示した。しかし、これに制限されず、軟性印刷回路基板２００は１つからなってもよく、３つ以上からなってもよい。
【００３０】
軟性印刷回路基板２００は“Ｃ”形状に曲がった状態に表示パネル１００に装着され得る。軟性印刷回路基板２００は薄膜トランジスター基板１０の上面から側面に沿って延長され、薄膜トランジスター基板１０の下面上に固定され得る。このために軟性印刷回路基板２００はフレキシブルであり得る。
【００３１】
印刷回路基板３００は表示パネル１００を駆動するための役割を果たす。印刷回路基板３００は駆動基板（図示せず）と駆動基板（図示せず）上に実装された多数の回路部品（図示せず）とを包含することができる。軟性印刷回路基板２００が曲がって装着された状態で印刷回路基板３００は薄膜トランジスター基板１０の下面に装着され得る。
【００３２】
表示装置１０００はタイミングコントローラ（図示せず）、ゲートドライバー４００、及びデータドライバー（図示せず）をさらに包含することができる。
【００３３】
タイミングコントローラは軟性印刷回路基板２００及び印刷回路基板３００の中でいずれか１つ上に実装され得る。タイミングコントローラは制御信号を受信してゲート制御信号及びデータ制御信号を生成する。タイミングコントローラはゲート制御信号をゲートドライバー４００へ出力し、データ制御信号をデータドライバーへ出力する。タイミングコントローラは映像信号を受信してデータドライバーへ出力することができる。
【００３４】
ゲート制御信号はゲートドライバー４００の動作を開始する垂直開始信号及びゲート信号の出力時期を決定するゲートクロック信号等を包含することができる。
【００３５】
データ制御信号はデータドライバーの動作を開始する水平開始信号、データドライバーから出力されるデータ電圧の極性を制御する極性反転信号、及びデータ電圧が出力される時期を決定するロード信号等を包含することができる。
【００３６】
ゲートドライバー４００は薄膜トランジスター基板１０上に実装され得る。具体的に、ゲートドライバー４００は第１非表示領域ＮＡ１に重畳するように配置され得る。図２及び図３で、ゲートドライバー４００は表示領域ＤＡと軟性印刷回路基板２００との間の第１非表示領域ＮＡ１に重畳するように配置されることを一例として図示した。
【００３７】
ゲートドライバー４００はゲート制御信号に基づいてゲート信号を生成することができる。ゲートドライバー４００はゲートラインＧ１〜Ｇｍに各々電気的に連結されて、ゲートラインＧ１〜Ｇｍへゲート信号を順次的に出力する。
【００３８】
表示パネル１００はゲートドライバー４００とゲートラインＧ１〜Ｇｍとを互に連結する連結ラインＬ１〜Ｌ２ｍをさらに包含することができる。連結ラインＬ１〜Ｌ２ｍは第２方向ＤＲ２に延長され、データラインＤ１〜Ｄｎと互に離隔され得る。
【００３９】
ゲートドライバー４００は互に離隔された第１ゲートドライバー４１０及び第２ゲートドライバー４２０を包含することができる。
【００４０】
第１ゲートドライバー４１０及び第２ゲートドライバー４２０の各々はゲートラインＧ１〜Ｇｍに連結され得る。
【００４１】
連結ラインＬ１〜Ｌ２ｍはメーン連結ラインＬ１〜Ｌｍ及びサブ連結ラインＬｍ＋１〜Ｌ２ｍを包含することができる。メーン連結ラインＬ１〜Ｌｍは第１ゲートドライバー４１０とゲートラインＧ１〜Ｇｍとを互に連結し、サブ連結ラインＬｍ＋１〜Ｌ２ｍは第２ゲートドライバー４２０とゲートラインＧ１〜Ｇｍとを互に連結する。メーン連結ラインＬ１〜Ｌｍ及びサブ連結ラインＬｍ＋１〜Ｌ２ｍの各々の個数はゲートラインＧ１〜Ｇｍの個数と互に同一であり得る。メーン連結ラインＬ１〜Ｌｍの各々はゲートラインＧ１〜Ｇｍの各々に連結され、サブ連結ラインＬｍ＋１〜Ｌ２ｍの各々はゲートラインＧ１〜Ｇｍの各々に連結され得る。
【００４２】
メーン連結ラインＬ１〜Ｌｍは互に異なる長さを有してもよく、サブ連結ラインＬｍ＋１〜Ｌ２ｍは互に異なる長さを有してもよい。図２及び図３でメーン連結ラインＬ１〜Ｌｍの長さ及びサブ連結ラインＬｍ＋１〜Ｌ２ｍの長さは順次的に増加することを一例として図示した。
【００４３】
メーン連結ラインＬ１〜Ｌｍの各々はサブ連結ラインＬｍ＋１〜Ｌ２ｍの各々より短い長さを有することができる。一例として、メーン連結ラインＬ１〜Ｌｍは第１ゲートドライバー４１０から第２方向ＤＲ１にゲートラインＧ１〜Ｇｍまで最短距離に連結され得る。また、サブ連結ラインＬｍ＋１〜Ｌ２ｍは第２ゲートドライバー４２０から第２方向ＤＲ２に延長されて表示領域ＤＡを経て第ｍ番目のゲートラインＧｍ外側の第１非表示領域ＮＡ１で屈曲されてゲートラインＧ１〜Ｇｍに連結され得る。
【００４４】
１つのゲートラインは１つのメーン連結ラインと１つのサブ連結ラインとに連結され得る。具体的に、第１番目のゲートラインＧ１は第１番目のメーン連結ラインＬ１と第２ｍ番目のサブ連結ラインＬ２ｍとに連結され得る。同様に、第ｍ番目のゲートラインＧｍは第ｍ番目のメーン連結ラインＬｍと第ｍ＋１番目のサブ連結ラインＬｍ＋１とに連結され得る。
【００４５】
第ｉ（ｉは正の整数）番目のゲートラインに連結された２つの連結ラインの抵抗と第ｊ（ｊは正の整数、ｊ≠ｉ）番目のゲートラインに連結された２つの連結ラインの抵抗とは互に同一であり得る。連結ラインの抵抗はラインの長さに比例するので、第ｉ（ｉは正の整数）番目のゲートラインに連結された２つの連結ライン（第１一部連結ライン）の全長と第ｊ（ｊは正の整数、第ｊ≠ｉ）番目のゲートラインに連結された２つの連結ライン（第２一部連結ライン）の全長とを同一にすることができる。例えば、第１番目のゲートラインに連結された第１番目のメーン連結ラインＬ１と第２ｍ番目のサブ連結ラインＬ２ｍとの全長は第ｍ番目のゲートラインに連結された第ｍ番目のメーン連結ラインＬｍと第ｍ＋１番目のサブ連結ラインＬｍ＋１との全長と互に同一であってもよい。
【００４６】
図４は図２で１つの画素ＰＸとその隣接部とを示した図面であり、図５は図４のＩ−Ｉ’線に沿う断面図である。図４の画素ＰＸは第１番目のゲートラインＧ１、第２番目のゲートラインＧ２、第２番目のデータラインＤ２、及び第３番目のデータラインＤ３によって定義される画素領域に配置されたことを一例として図示した。
【００４７】
図４及び図５を参照すれば、画素ＰＸは薄膜トランジスターＴＲ、画素電極ＰＥ、及び共通電極（図示せず）を包含することができる。薄膜トランジスターＴＲは図１の薄膜トランジスター基板１０のベース基板１１０上に形成されてもよい。薄膜トランジスターＴＲはゲートラインＧ２へ印加されたゲート信号に応答してデータラインＤ２へ印加されたデータ電圧を画素電極ＰＥへ印加することができる。
【００４８】
画素電極ＰＥは薄膜トランジスター基板１０に具備され、薄膜トランジスターＴＲに連結される。画素電極ＰＥの面積によって画素ＰＸの開口率が決定され得る。画素電極ＰＥには視認性を改善するためにスリットが具備され得る。
【００４９】
共通電極（図示せず）は対向基板（図１の２０）に形成され得る。但し、これに制限されず、共通電極は駆動モードにしたがって薄膜トランジスター基板１０に具備されてもよい。共通電極は共通電圧を受信する。
【００５０】
ゲートラインＧ２の上にはゲート絶縁膜１２０が形成される。ゲート絶縁膜１２０によってゲートラインＧ１、Ｇ２及びデータラインＤ２、Ｄ３は絶縁され得る。
【００５１】
連結ラインＬ２はデータラインＤ３と絶縁されるように離隔される。連結ラインＬ２の少なくとも一部はデータラインＤ３と同じ層上に配置され得る。連結ラインＬ２はデータラインＤ３と同じ段階で形成され、同じ物質からなり得る。
【００５２】
連結ラインＬ２は画素電極ＰＥと平面上で非重畳するように形成されて、表示パネル１００の開口率を低下させない。
【００５３】
平面上でゲートラインＧ２と連結ラインＬ２とが交差される領域で、ゲート絶縁膜１２０にはコンタクトホールＣＨが形成され、連結ラインＬ２はコンタクトホールＣＨに対応するように具備される。連結ラインＬ２はコンタクトホールＣＨを通じてゲートラインＧ２と電気的に連結され得る。
【００５４】
連結ラインＬ２及びデータラインＤ３の上には絶縁膜１３０が配置され、絶縁膜１３０の上には画素電極ＰＥが配置され得る。
【００５５】
本発明の一実施形態による表示装置によれば、ゲートドライバー４００が第１非表示領域ＮＡ１に具備されて、第２非表示領域ＮＡ２の第１方向ＤＲ１幅を大幅に減少させ得る。したがって、一方向ベゼルが大幅に減少された表示装置が具現され得る。
【００５６】
また、ゲートドライバー４００とゲートラインＧ１〜Ｇｍとの間を連結ラインＬ１〜Ｌ２ｍを通じて連結してゲートラインＧ１〜Ｇｍを安定的に駆動することができる。この時、ゲートラインＧ１〜Ｇｍの各々に連結された連結ラインの抵抗が互に異なる場合、抵抗差（或いは時整数差：ｔｉｍｅ  ｃｏｎｓｔａｎｔ  ｄｉｆｆｅｒｅｎｃｅ）にしたがってゲートラインＧ１〜Ｇｍの各々へ印加される信号のディレイ値が異なるようになって画質不良が発生され得る。しかし、本発明の一実施形態では、１つのゲートラインに連結された連結ラインの長さを全て同一になるように形成してゲートラインへ印加される信号のディレイ値を一定に維持して上述した問題点を解決することができる。
【００５７】
図６は本発明の一実施形態による表示装置２０００の平面図であり、図７は図６に図示された連結ラインを示した図面である。
【００５８】
図６及び図７の表示装置２０００は図１乃至図５を参照して説明した表示装置１０００と比較してゲートドライバー及び連結配線に差異があるので、以下では差異点を中心に説明し、説明されなかった部分は図１乃至図５を参照した説明にしたがう。
【００５９】
図６及び図７を参照すれば、表示装置１０１はゲートドライバー５００及び連結配線Ｙ１〜Ｙｍを含む。
【００６０】
ゲートドライバー５００は第１非表示領域ＮＡ１に重畳するように配置され得る。図６で、ゲートドライバー５００は表示領域ＤＡと軟性印刷回路基板２００との間の第１非表示領域ＮＡ１に重畳するように配置されたことを一例として図示した。
【００６１】
ゲートドライバー５００はゲートラインＧ１〜Ｇｍに連結され、１つであり得る。
【００６２】
連結配線Ｙ１〜Ｙｍはゲートドライバー５００とゲートラインＧ１〜Ｇｍとを互に連結する。連結ラインＹ１〜Ｙｍは表示領域ＤＡから第２方向ＤＲ２に延長され、データラインＤ１〜Ｄｎと互に離隔され得る。連結ラインＹ１〜Ｙｍの個数はゲートラインＧ１〜Ｇｍの個数と互に同一であり得る。連結ラインＹ１〜Ｙｍの各々はゲートラインＧ１〜Ｇｍの各々に連結され得る。
【００６３】
連結配線Ｙ１〜Ｙｍの各々はファンアウト部ＦＴ及び延長部ＥＴを包含することができる。
【００６４】
ファンアウト部ＦＴはゲートドライバー５００から延長されてゲートドライバー５００と表示領域ＤＡとの間の第１非表示領域ＮＡ１に配置され得る。ファンアウト部ＦＴはジグザグ形態に曲がるか、或いは複数回の屈曲を包含することができる。
【００６５】
ファンアウト部ＦＴは連結配線Ｙ１〜Ｙｍの各々毎に具備された第１乃至第ｍファンアウト部ＦＴ１〜ＦＴｍを包含することができる。第１乃至第ｍファンアウト部ＦＴ１〜ＦＴｍの各々の長さは互に異なり得る。本実施形態で、第１ファンアウト部ＦＴ１から第ｍファンアウト部ＦＴｍに行くほど、長さは短くなり得る。第１乃至第ｍファンアウト部ＦＴ１〜ＦＴｍの各々の長さは曲がった回数を調節することによって調節され得る。図６に示したように、もし、第１ファンアウト部ＦＴ１が５回曲がった場合、第２ファンアウト部ＦＴ２は４回曲がり、第ｍファンアウト部ＦＴｍは曲がれないこともあり得る。
【００６６】
延長部ＥＴはファンアウト部ＦＴから延長されてゲートラインＧ１〜Ｇｍに連結され得る。延長部ＥＴは第２方向ＤＲ２に延長され得る。
【００６７】
延長部ＥＴは連結配線Ｙ１〜Ｙｍの各々毎に具備された第１乃至第ｍ延長部ＥＴ１〜ＥＴｍを包含することができる。第１乃至第ｍ延長部ＥＴ１〜ＥＴｍの各々の長さは互に異なり得る。本実施形態で、第１延長部ＥＴ１から第ｍ延長部ＥＴｍに行くほど、長さは長くなり得る。
【００６８】
第ｉ（ｉは正の整数）番目のゲートラインに連結された連結ラインの抵抗と第ｊ（ｊは正の整数、ｊ≠ｉ）番目のゲートラインに連結された連結ラインの抵抗とは互に同一であり得る。連結ラインの抵抗はラインの長さに比例するので、第ｉ（ｉは正の整数）番目のゲートラインに連結された連結ラインの全長と第ｊ（ｊは正の整数、ｊ≠ｉ）番目のゲートラインに連結された連結ラインの全長とが同一になり得る。即ち、延長ラインＹ１〜Ｙｍの長さは互に同一であり得る。例えば、第１番目のゲートラインに連結された第１連結ラインＹ１の全長は第ｍ番目のゲートラインに連結された第ｍ番目の連結ラインＹｍの全長と互に同一であり得る。
【００６９】
第ｉ（ｉは正の整数）ファンアウト部と第ｉ延長部との長さの合計は第ｊ（ｊは正の整数、ｊ≠ｉ）ファンアウト部と第ｊ延長部との長さの合計と互に同一であり得る。
【００７０】
第ｉファンアウト部と第ｊファンアウト部との長さの差は第ｉ延長部と第ｊ延長部の長さの差と互に同一であり得る。具体的に、第ｉ（ｉは正の整数）ファンアウト部と第ｊ（ｊは正の整数、ｊ≠ｉ）ファンアウト部との長さの差は第ｉ番目のゲートラインと第ｊ番目のゲートラインとの間の第２方向ＤＲ２距離と同一であり得る。
【００７１】
図８は本発明の一実施形態によるマルチパネル表示装置３０００を示した図面である。
【００７２】
マルチパネル表示装置３０００は第１方向ＤＲ１に隣接するように配置された複数の表示パネル１０２、１０３を包含することができる。
【００７３】
表示パネル１０２、１０３は図１乃至図５を参照して説明した表示パネル１００又は図６及び図７を参照して説明した表示パネル１０１であり得る。
【００７４】
表示パネル１０２、１０３の各々のゲートドライバー（図示せず）は第１非表示領域ＮＡ１に具備され、第２非表示領域ＮＡ２には具備されない。したがって、第２非表示領域ＮＡ２の第１方向ＤＲ１幅を大幅に減少させることができ、表示パネル１０２、１０３の表示領域ＤＡ間の第１方向ＤＲ１幅を減らすことができる。したがって、複数の表示パネル１０２、１０３が第２非表示領域ＮＡ２の幅によって別の表示パネルとして視認される現象を減少させることができる。
【００７５】
図８にはマルチパネル表示装置３０００は第１方向ＤＲ１に隣接する２つの表示パネル１０２を含むことと図示したが、これに制限されず、マルチパネル表示装置は第１方向ＤＲ１に隣接する３つ以上の表示パネルを包含することができ、第１方向ＤＲ１のみでなく、第２方向ＤＲ２に隣接する複数個の表示パネルを包含することもあり得る。
【００７６】
以上、添付された図面を参照して本発明の実施形態を説明したが、本発明が属する技術分野で通常の知識を有する者は本発明がその技術的思想や必須的な特徴を変形せずに、他の具体的な形態に実施できることを理解できる。したがって、以上で記述した実施形態にはすべての面で例示的なことであり、限定的なことではないことを理解しなければならない。
【符号の説明】
【００７７】
１０００、２０００・・・表示装置
３０００・・・マルチパネル表示装置
１００・・・表示パネル
２００・・・軟性印刷回路基板
３００・・・印刷回路基板
４００、５００・・・ゲートドライバー  
１０・・・薄膜トランジスター基板
２０・・・対向基板             
ＤＡ・・・表示領域
ＮＡ・・・非表示領域
Ｌ１〜Ｌ２ｍ、Ｙ１〜Ｙｍ・・・連結配線 
【図１】
2015082110.tif 000003
【図２】
2015082110.tif 000004
【図３】
2015082110.tif 000005
【図４】
2015082110.tif 000006
【図５】
2015082110.tif 000007
【図６】
2015082110.tif 000008
【図７】
2015082110.tif 000009
【図８】
2015082110.tif 000010